(57)【特許請求の範囲】
【請求項１】
第１の電極を有する第１の基板と第２の電極を有する第２の基板と、前記第１の基板と前記第２の基板との間に液晶を挟持してなる液晶素子と、前記第１の基板の外側に設ける反射型偏光板と、該反射型偏光板の外側に設ける吸収型偏光板と、前記第２の基板の外側に設ける反射型偏光板と、該反射型偏光板の外側に設ける吸収型偏光板とを備え、
前記反射型偏光板は、透過容易軸と平行な振動面を持つ直線偏光は透過し、直交する振動面を持つ直線偏光は反射するシートであり、前記吸収型偏光板は、透過容易軸と平行な振動面を持つ直線偏光は透過し、直交する振動面をもつ直線偏光は吸収するシートであり、前記第１の基板の外側に設ける前記反射型偏光板における透過容易軸の方向と、前記第１の基板の外側に設ける前記吸収型偏光板における透過容易軸の方向とが一致し、
前記第２の基板の外側に設ける前記反射型偏光板における透過容易軸の方向と、前記第２の基板の外側に設ける前記吸収型偏光板における透過容易軸の方向とが一致していることを特徴とする液晶表示装置。
【請求項２】
前記第１の基板と前記第２の基板の少なくとも一方の外側に、光散乱部材を設けることを特徴とする請求項１に記載の液晶表示装置。
【請求項３】
前記第１の基板と前記第１の基板の外側に設ける前記反射型偏光板との間に位相差板を設けることを特徴とする請求項１または請求項２に記載の液晶表示装置。
【発明の詳細な説明】
【０００１】
【発明の属する技術分野】
本発明は、液晶表示装置に関するもので、特に反射型の液晶表示装置に関するものである。
【０００２】
【従来の技術】
従来から液晶表示装置は低消費電力、薄型、軽量が特徴であるが、視認性や色再現性を追求するうちにバックライトを備えた透過型の液晶表示装置へと開発は進んでいき、液晶表示装置のもつ本来の特徴が十分に発揮されなかった。ところが、最近になって小型携帯端末機器の急速な普及とともに、これらに用いられる反射型の液晶表示装置がその特徴を生かし、急速に進歩している。
【０００３】
その最大の特徴は低消費電力である。小型携帯端末機器のほとんどは電池で動作し、その電池寿命は機器の性能を大きく左右する。このような機器において、液晶表示装置は最適なデバイスであり、特にバックライトを使わない反射型の液晶表示装置は電池寿命を数時間単位で改善するほどの低消費電力化が可能である。
【０００４】
次に、図５を用いて従来の反射型液晶表示装置の動作説明をする。
【０００５】
液晶パネル１００１は電極が形成された２枚の基板に液晶を挟持して構成される。液晶には、９０°ツイストのＴＮ液晶や１８０〜２７０°ツイストのＳＴＮ液晶が多く用いられる。この液晶パネル１００１の両側に偏光板（図示せず）が接着されている。それぞれの偏光板の透過容易軸方向は液晶に合わせて配置される。偏光板を接着した液晶パネル１００１の下部には反射板１００２を配置する。反射板１００２は、フィルム上に、アルミや銀を形成した構造で、高い反射率に設定される。
【０００６】
ここで、液晶パネル１００１を上面にして視認すると、入射光は液晶パネル１００１を透過した後に、反射板１００２で反射され、視認側に戻される。液晶パネル１００１は光シャッターとして機能するので、反射光量を制御することができ、反射と無反射のコントラストで文字などを表示することが可能となる。
【０００７】
【発明が解決しようとする課題】
しかし、従来の反射型液晶表示装置は、液晶パネル１００１の背面に反射板１００２を配置するために、液晶パネル１００１を観察者側に配置すれば良好な表示が得られるが、反射板１００２側を観察者側に配置すれば、外光は反射板１００２の裏面で遮光され液晶パネルに外光が到達することができないため、表示は全く視認できない。
【０００８】
これは、従来の反射型液晶表示装置は反射板を用いているため、当然のことである。従来はこのような問題は、問題として取り上げられることはなかった。ところが、反射型液晶表示装置は低消費電力と小型、軽量、薄型と利点が多く小型携帯端末の表示装置に最適であること以上に、将来のペーパレス化の最有力候補であることを考えると、紙と同じように、両面に情報を表示できれば、一枚に入る情報量が倍に増えるだけでなく、アプリケーションの応用にもつながり、液晶表示装置の用途は広がる。
【０００９】
ここで、従来の液晶表示装置で紙のように両面に情報を表示することを可能にしようとすると、２つの反射型液晶表示装置を張り合わす方法が考えられる。ところが、この方法は２枚の液晶表示装置が必要になり、コスト高になってしまう。また、薄型、軽量、消費電力においても２倍悪くなり実用できないという課題があった。
【００１０】
本発明の目的は、上記課題を解決して、液晶表示装置の表裏両面からの情報の視認を可能とし、さらに低コスト、薄型、軽量、低消費電力を満たした液晶表示装置を提供することである。
【００１１】
【課題を解決するための手段】
上記目的を達成するために、本発明の液晶表示装置は、第１の電極を有する第１の基板と第２の電極を有する第２の基板と、前記第１の基板と前記第２の基板との間に液晶を挟持してなる液晶素子と、前記第１の基板の外側に設ける反射型偏光板と、該反射型偏光板の外側に設ける吸収型偏光板と、前記第２の基板の外側に設ける反射型偏光板と、該反射型偏光板の外側に設ける吸収型偏光板とを備え、反射型偏光板は、透過容易軸と平行な振動面を持つ直線偏光は透過し、直交する振動面を持つ直線偏光は反射するシートであり、吸収型偏光板は、透過容易軸と平行な振動面を持つ直線偏光は透過し、直交する振動面をもつ直線偏光は吸収するシートであり、第１の基板の外側に設ける反射型偏光板における透過容易軸の方向と、第１の基板の外側に設ける吸収型偏光板における透過容易軸の方向とが一致し、第２の基板の外側に設ける反射型偏光板における透過容易軸の方向と、第２の基板の外側に設ける吸収型偏光板における透過容易軸の方向とが一致していることを特徴とする。
【００１２】
また、第１の基板と前記第２の基板の少なくとも一方の外側に、散乱部材を設けることを特徴とする。
【００１３】
また、本発明の液晶素子は、第１の電極を有する第１の基板と第２の電極を有する第２の基板との間に１８０゜〜２７０゜ツイスト配向しているネマチック液晶を狭持してなるＳＴＮ液晶素子であることが好ましい。
【００１４】
また、本発明の液晶素子は、第１の電極を有する第１の基板と第２の電極を有する第２の基板との間に約９０°ツイスト配向しているネマチック液晶を狭持してなるＴＮ液晶素子であることが好ましい。
【００１５】
また、本発明の液晶素子は、第１の電極を有する第１の基板と第２の電極を有する第２の基板との間に強誘電液晶を狭持してなる強誘電液晶素子であることが好ましい。
【００１６】
また、本発明の液晶表示装置は、第１の基板の外側に設ける位相差板と、該位相差板の外側に設ける反射型偏光板と、該反射型偏光板の外側に設ける吸収型偏光板と、前記第２の基板の外側に設ける光散乱部材と、該光散乱部材の外側に設ける反射型偏光板と、該反射型偏光板の外側に設ける吸収型偏光板とを備えることを特徴とする。
【００１７】
また、本発明の液晶表示装置における反射型偏光板は、透過容易軸と平行な振動面を持つ直線偏光は透過し、直交する振動面を持つ直線偏光は反射するシートであり、吸収型偏光板は、透過容易軸と平行な振動面を持つ直線偏光は透過し、直交する振動面を持つ直線偏光は吸収するシートであることを特徴とする。さらに、好ましくは同一の基板外側に配置された反射型偏光板における透過容易軸の方向と吸収型偏光板における透過容易軸の方向とが、ほぼ一致していることを特徴とする。
【００１８】
（作用：図６、図７）
本発明による液晶表示装置の作用について、図６と図７を用いて説明する。第１の吸収型偏光板１０は、ヨウ素や２色性色素を延伸したフィルムに染色して作製する一般的な偏光板であり、透過容易軸１０ａ方向に振動する光は透過し、透過容易軸１０ａと９０゜回転した方向に振動する光は吸収する。
【００１９】
一方、第１の反射型偏光板８は、透明なベースフィルムに薄膜を多層にした構造で、透過容易軸８ａ方向に振動する光は透過し、透過容易軸８ａと９０゜回転した方向に振動する光は反射する。
【００２０】
おもてＡから視認する状態での白表示（図６）は、おもてに配置する第１の吸収型偏光板１０の透過容易軸１０ａと、隣接して配置する第１の反射型偏光板８の透過容易軸８ａが平行であるので、入射光のうちの透過容易軸と平行な成分は透過し、光散乱部材１２を通過し、第２の反射型偏光板９に到達する。第２の反射型偏光板９の透過容易軸９ａは入射光の振動方向と９０度回転しているので入射光は反射され、視認側に戻される。このとき、戻された入射光は光散乱部材１２を２回通過しているので入射光は適度に散乱し、おもてＡから視認すると白の表示色を示す。
【００２１】
一方、おもてＡから視認する状態での黒表示（図７）は、おもてに配置する第１の吸収型偏光板１０と第１の反射型偏光板８を透過した入射光は、光散乱部材１２を通過し、第２の反射型偏光板９に到達する。第２の反射型偏光板９の透過容易軸９ａは入射光の振動方向と平行しているので入射光は透過し、第２の吸収型偏光板１１に入射する。第２の吸収型偏光板１１の透過容易軸１１ａは入射光の振動方向と平行なのでこれも透過し、うらＢの方向に透過する。うらＢに透過した入射光は反射するような部材がないので視認側に戻らない。したがっておもてＡから視認すると黒の表示色を示す。
【００２２】
次にうらＢから視認する状態での白表示（図６）は、うらに配置する第２の吸収型偏光板１１の透過容易軸１１ａと、隣接して配置する第２の反射型偏光板９の透過容易軸９ａが平行であるので、入射光のうちの透過容易軸と平行な成分は透過し、光散乱部材１２を通過し、第１の反射型偏光板８に到達する。第１の反射型偏光板８の透過容易軸８ａは入射光の振動方向と９０度回転しているので入射光は反射され、視認側に戻される。このとき、戻された入射光は光散乱部材１２を２回通過しているので入射光は適度に散乱し、うらＢから視認すると白の表示色を示す。
【００２３】
一方、うらＢから視認する状態での黒表示（図７）は、うらに配置する第２の吸収型偏光板１１と第２の反射型偏光板９を透過した入射光は、光散乱部材１２を通過し、第１の反射型偏光板８に到達する。第１の反射型偏光板８の透過容易軸８ａは入射光の振動方向と平行しているので入射光は透過し、第１の吸収型偏光板１０に入射する。第１の吸収型偏光板１０の透過容易軸１０ａは入射光の振動方向と平行なのでこれも透過し、おもてＡの方向に透過する。おもてＡに透過した入射光は反射するような部材がないので視認側に戻らない。したがってうらＢから視認すると黒の表示色を示す。
【００２４】
第２の吸収型偏光板１１と第２の反射型偏光板９の透過容易軸を回転する代わりに、第１の反射型偏光板８と第２の反射型偏光板９の間に９０゜ツイスト配向のＴＮ（ツイステッド  ネマチック）液晶素子を設けると、ＴＮ液晶素子への印加電圧によりおもてＡから視認する場合は第２の反射型偏光板９への直線偏光成分の入射角度を、うらＢから視認する場合は、第１の反射型偏光板８への直線偏光成分の入射角度を、約９０゜変えることができ、おもてと裏の両面で白と黒を表示する液晶表示装置とすることができる。
【００２５】
さらに、９０゜ツイスト配向のＴＮ液晶素子の代わりに、１８０゜〜２７０゜ツイスト配向のＳＴＮ（スーパーツイスト  ネマチック）液晶素子を用いると、液晶素子の急峻性が改善し、コントラスト特性が改善され、多分割の液晶表示装置が実現できるが、ＳＴＮ液晶素子を通過した光は楕円偏光状態になり、背景色に色が付いたり、表示色が変わってしまう。
【００２６】
しかし、本発明においては、１８０゜〜２７０゜ツイスト配向のＳＴＮ液晶素子と位相差板とを用いることで、コントラスト特性が良好で、表と裏の両面で白と黒を表示する液晶表示装置を提供することができる。
【００２７】
【発明の実施の形態】
（第１の実施の形態：図１，図２）
以下図面を用いて本発明を実施するための最良な形態における液晶表示装置の構成と効果を説明する。
【００２８】
はじめに本発明の第１の実施形態における液晶表示装置の構成を、図面を用いて説明する。図１は本発明の第１の実施形態における液晶表示装置の構成要素を説明するための断面図で、図２は、構成要素の配置関係を示す平面図である。以下、図１と図２とを交互に用いて本発明の液晶表示装置の構成を説明する。
【００２９】
本実施の形態の液晶表示装置は、ＩＴＯからなる第１の電極３が形成されている厚さ０．７ｍｍのガラス板からなる第１の基板１と、ＩＴＯからなる第２の電極４が形成されている厚さＯ．７ｍｍのガラス板からなる第２の基板２と、前記一対の基板を張り合わせるシール材５と、前記一対の基板に狭持されている２４０゜ツイスト配向しているネマチック液晶６とからＳＴＮ液晶素子１６が形成されている。
【００３０】
第１の電極３と第２の電極４の表面には配向膜（図示せず）が形成され、第１の基板１は、左上がりで水平方向に対して−３０゜方向にラビング処理することで、上液晶分子配向方向１６ｂは左上がり−３０゜となり、第２の基板２は右上がり３０゜方向にラビング処理することで上液晶分子配向方向１６ａは右上がり３０゜となり、左回り２４０゜ツイスト配向のＳＴＮ液晶素子１６を形成している。
【００３１】
使用するネマチック液晶６の複屈折の差Δｎは０．１４８で、第１の基板１と第２の基板２の隙間であるセルギャップｄは５．４５ｕｍとする。したがって前記ネマチック液晶６の複屈折の差Δｎと前記セルギャップｄとの積で表すＳＴＮ液晶素子１６のΔｎｄ値は、８０７ｎｍである。
【００３２】
第１の反射型偏光板８を透過容易軸８ａが水平軸に対して１０゜になるように配置し、第１の反射型偏光板８の上部に第１の吸収型偏光板１０を透過容易軸１０ａが水平軸に対して、１０゜になるように配置し、ＳＴＮ液晶素子１６と第１の反射型偏光板８の間に、位相差値５８０ｎｍの位相差板１３を、遅相軸１３ａが水平軸に対して５０゜になるように配置する。ＳＴＮ液晶素子１６の下側に、光散乱部材１２を配置し、光散乱部材１２の下部に第２の反射型偏光板９を透過容易軸９ａが水平軸に対して−２０゜になるように配置し、第２の反射型偏光板９の下部に第２の吸収型偏光板１１を透過容易軸１１ａが水平軸に対して−２０゜になるように配置する。
【００３３】
ＳＴＮ液晶素子１６と位相差板１３は、アクリル系粘着剤（図示せず）を用いて接着してある。第１の反射型偏光板８と第１の吸収型偏光板１０も、アクリル系粘着剤（図示せず）を用いて接着してある。また、第２の反射型偏光板９は接着剤を兼ねた光散乱部材１２でＳＴＮ液晶素子１６と接着してある。第２の吸収型偏光板１１はアクリル系粘着剤（図示せず）を用いて接着してある。
【００３４】
位相差板１３は視野角特性を改善するため、遅相軸方向の屈折率ｎｘ、Ｙ軸方向の屈折率ｎｙ、厚み方向の屈折率ｎｚが、ｎｘ＞ｎｚ＞ｎｙとなっている２軸性の位相差板を使用した。もちろん、１軸性の位相差板でも、問題はない。
【００３５】
第１の反射型偏光板８は、透過容易軸方向に振動する光成分は透過し、直交する方向に振動する光成分は反射するシートである。本実施の形態では、住友スリーエム社製の商品名Ｄ−ＢＥＦを使用する。このＤ−ＢＥＦは、一般的には、バックライトの輝度上昇用に用いられる製品であるが、本実施の形態のように、反射型偏光板としても、十分機能する。
【００３６】
また、第２の反射型偏光板９と光散乱部材１２は、住友スリーエム社製の商品名Ｒ−ＤＥＦＣを使用する。Ｒ−ＤＥＦＣは反射型偏光板に、散乱材入りの粘着剤を塗布した構成で、粘着剤が光散乱部材を兼ねている。また、反射型偏光板の粘着材と反対の面は反射型偏光板の表面のままである。また、商品名Ｒ−ＤＥＦもあるが、これには粘着剤塗布面と反対面に黒色の不透過膜を形成してある。本実施例では黒色の不透過膜のないＲ−ＤＥＦＣを用いる。
【００３７】
（具体例の説明：図１，図２，図４）
次に本発明の第１の実施の形態における液晶表示装置でおもてＡとうらＢの両面からの視認においてコントラストの高い表示を行う具体例について説明する。まず最初におもてＡから視認する場合について説明する。本発明の液晶表示装置において、おもてＡから視認する場合の電圧無印加の状態では、第１の吸収型偏光板１０に入射する透過容易軸１０ａ方向と９０°回転する直線偏光は吸収され、第１の吸収型偏光板１０に入射する透過容易軸１０ａ方向の直線偏光は第１の反射型偏光板８の透過容易軸に平行に入射する。入射した直線偏光は第１の反射型偏光板８の透過容易軸８ａに平行なので、これも透過し、ＳＴＮ液晶素子１６に入射する。位相差板１３がない場合、ＳＴＮ液晶素子１６を透過した状態で、楕円偏光状態となり、第２の反射型偏光板９で完全に反射できず、かつ、複屈折による色が付き、表示が不十分である。
【００３８】
しかし、位相差板１３を第１の反射型偏光板８とＳＴＮ液晶素子１６の間に配置したので、第１の反射型偏光板８を通して位相差板１３に入射した直線偏光は、楕円偏光状態となる。その楕円偏光は、ＳＴＮ液晶素子１６を透過する間に補正され、ほぼ直線偏光で、第１の反射型偏光板８の透過容易軸８ａに対して約６０゜回転し、水平に対して７０゜の位置から出射する。
【００３９】
出射した直線偏光成分は光散乱部材１２により散乱し第２の反射型偏光板９に入射する。第２の反射型偏光板９の透過容易軸９ａは水平に対して−２０゜に配置してある。したがって、光散乱材１２を透過した直線偏光は、第２の反射型偏光板９の透過容易軸９ａに対して、９０゜回転した方向から入射するので、第２の反射型偏光板９で反射し、視認側のおもてＡに戻される。このとき、光散乱部材１２を再度通過することにより、適度に散乱した直線偏光がおもてＡに反射する。したがって図４のおもてＡから視認する場合の電圧無印加の時に示すように全て反射し、白色の表示となる。
【００４０】
次に第１の電極３と第２の電極４の間に電圧を印加すると、ネマチック液晶６の分子が立ち上がり、ＳＴＮ液晶素子１６の複屈折性が変化し、出射する直線偏光が約９０゜回転し、水平に対して−２０゜の方向になる。
【００４１】
したがって、第２の反射型偏光板９の透過容易軸９ａに対して、平行に入射するので、図４のおもてＡから視認する場合の電圧印加の時に示すように、入射光は第２の反射型偏光板９を透過し、さらに第２の吸収型偏光板１１も透過し、うらＢに透過する。透過した直線偏光成分はうらＢの方向に反射板がないので、反射されて視認側おもてＡに戻ることはない。したがって黒色の表示が得られる。
【００４２】
次に、うらＢから視認する場合について説明する。おもてＡから視認する場合と光散乱部材１２の通過位置が液晶素子１６への入射前後で異なることと位相差板１３の位置が異なる以外は同様の動作をする。うらＢから視認する場合の電圧無印加の状態では、第２の吸収型偏光板１１に入射する透過容易軸１１ａ方向と９０°回転する直線偏光は吸収され、第２の吸収型偏光板１１に入射する透過容易軸１１ａ方向の直線偏光は第２の反射型偏光板９の透過容易軸９ａに平行に入射する。入射した直線偏光は第２の反射型偏光板９の透過容易軸９ａに平行なので、これも透過し、光散乱部材１２により散乱し、ＳＴＮ液晶素子１６に入射する。ＳＴＮ液晶素子１６から出射すると直線偏光は楕円偏光状態となり、位相差板１３がない場合、第１の反射型偏光板８で完全に反射できず、かつ、複屈折による色が付き、表示が不十分である。
【００４３】
しかし、位相差板１３を第１の反射型偏光板８とＳＴＮ液晶素子１６の間に配置したので、第２の反射型偏光板９とＳＴＮ液晶素子１６を通して位相差板１３に入射した楕円偏光は、位相差板１３を透過する間に補正され、ほぼ直線偏光で、第２の反射型偏光板９の透過容易軸９ａに対して約−６０゜回転し、水平に対して−８０゜の位置から出射する。
【００４４】
出射した直線偏光成分は第１の反射型偏光板８に入射する。第１の反射型偏光板８の透過容易軸８ａは水平に対して１０゜に配置してある。したがって、入射した直線偏光は、第１の反射型偏光板８の透過容易軸８ａに対して、９０゜回転した方向から入射するので、第１の反射型偏光板８で反射し、視認側のうらＢに戻される。このとき、光散乱部材１２を再度通過することにより、適度に散乱した直線偏光がうらＢに反射する。したがって図４のうらＢから視認する場合の電圧無印加の時に示すように全て反射し、白色の表示となる。
【００４５】
次に第１の電極３と第２の電極４の間に電圧を印加すると、ネマチック液晶６の分子が立ち上がり、ＳＴＮ液晶素子１６の複屈折性が変化し、出射する直線偏光が約９０゜回転し、水平に対して１０°の方向になる。
【００４６】
したがって、第１の反射型偏光板８の透過容易軸８ａに対して、平行に入射するので、図４のうらＢから視認する場合の電圧印加の時に示すように、入射光は第１の反射型偏光板８を透過し、さらに第１の吸収型偏光板１０も透過し、おもてＡに透過する。透過した直線偏光成分はおもてＡの方向に反射板がないので、反射されて視認側うらＢに戻ることはない。したがって黒色の表示が得られる。
【００４７】
また、液晶素子として、ＳＴＮ液晶素子１６を使用したことで、ネマチック液晶６分子の印加電圧に対する変形が急峻になり、光学特性の急峻性が良くなる。そのため、単純マトリクス駆動でも、走査ライン数を１００〜４００本まで増加することが可能になり、大型液晶表示装置や、高密度液晶表示装置を提供することが可能となる。また、視野角特性も改善する。
【００４８】
このように、本発明により、おもてとうらの両面から視認が可能となり、さらにコントラストの高い表示が得られ、かつ、視野角特性が良好な液晶表示装置を提供できる。
【００４９】
（第１の実施の形態の変形）
本実施の形態では、光散乱部材１２を第２の反射型偏光板９とＳＴＮ液晶素子１６の間に配置したが、さらに光散乱部材１２を第１の反射型偏光板８とＳＴＮ液晶素子１６の間にも配置しても良い。
【００５０】
以下、第１の実施の形態の変形を図３を用いて説明する。おもてＡから順に、第１の吸収型偏光板１０と、第１の反射型偏光板８と、光散乱部材１４と、位相差板１３と、ＳＴＮ液晶素子１６と、光散乱部材１２と、第２の反射型偏光板９と、第２の吸収型偏光板１１とを配置する。なお、各偏光板の透過容易軸の関係は本実施の形態と同様に図２に示すように配置する。
【００５１】
ここで、第１の反射型偏光板８と光散乱部材１４には本実施の形態の変形では、住友スリーエム社製の商品名Ｒ−ＤＥＦＣを用いる。Ｒ−ＤＥＦＣは反射型偏光板に散乱材を兼ねた粘着材が塗布されている物で、光散乱部材と反射型偏光板の両方の機能を有する商品である。同様に、第２の反射型偏光板９と光散乱部材１２にもＲ−ＤＥＦＣを用いる。本実施の形態の変形では、第１の反射型偏光板８と第２の反射型偏光板９に同一の部材が使えるため、コストや量産性に優れている。
【００５２】
本実施例の形態の変形における表示は、各偏光板の透過容易軸の配置関係は本実施例の形態と同様なので、白色と黒色の表示が両面から視認できることは明白である。唯一異なる点は、光散乱材１４がおもてＡ側に追加されているので、おもてＡから見た場合とうらＢから見た場合とで光の散乱状態の差が少なくなっている。
【００５３】
また、本実施の形態では、液晶素子にＳＴＮ液晶素子１６を用いたが、ツイスト角が約９０°のツイストネマティック液晶素子でも同様の効果が得られる事は明白である。
【００５４】
また、本実施の形態では、ＳＴＮ液晶素子１６として、２２５゜ツイストのＳＴＮ液晶素子を用いたが、１８０゜〜２７０゜ツイストのＳＴＮ液晶素子でも同様な効果が得られる。
【００５５】
また、本実施の形態では、ＳＴＮ液晶素子１６の楕円偏光状態を直線偏光に戻すために、位相差板１３を１枚用いたが、位相差板を複数枚用いると、より完全な直線偏光に戻り、より良好なコントラストが得られる。位相差板は、片側に複数枚でも、あるいは、ＳＴＮ液晶素子１６の両側に配置することも可能である。
【００５６】
また、本実施の形態では、光散乱部材１２、１４に反射型偏光板に粘着材が塗布されたＲ−ＤＥＦＣを用いたが、ポリカーボネートフィルムにアクリルビーズを接着材に混入した材料を拡散層として塗布した拡散シートや、エンボス加工したフィルムなどの光散乱材を用いても同様の効果が得られる。また、反射型偏光板に反射型偏光板自体にエンボス加工したものを用いれば、反射型偏光板が光散乱部材を兼ねるので、個別に光散乱部材を配置する必要がなくなる。なお、これらの場合には光散乱機能としては、ヘイズ値が３０以上の物が好ましい。また、光透過率は８０％以上のものが好ましい。
【００５７】
また、本実施の形態では、光散乱部材を用いたが、光散乱部材は、反射型偏光板の反射光を散乱し、白色表示を行うために用いた物で、用途によっては、省くことも可能である。たとえば、住友スリーエム社製の商品名Ｄ−ＢＥＦはその反射光に光沢感があり、メタリック調の見栄えをする。このメタリック感を表示に生かす場合は、散乱部材を挿入する必要はない。散乱部材を挿入しなくても本実施の形態の動作には何の問題もなく、上述のごとくおもてとうらの両面から視認可能なことは明白である。表示色の白色が、メタリック色になるだけである。
【００５８】
【発明の効果】
以上の説明から明らかなように、本発明の液晶表示装置は、吸収型偏光板と、反射型偏光板と、位相差板と、ＳＴＮ液晶素子と、光散乱部材と、反射型偏光板と、吸収型偏光板とを備えることで、おもてとうらの両面で黒や白を表示する高コントラストで、視角特性が良好な液晶表示装置を提供することができる。
【図面の簡単な説明】
【図１】本発明の第１の実施形態における液晶表示装置の構成を示す断面図である。
【図２】本発明の第１の実施形態における液晶表示装置の配置関係を示す平面図である。
【図３】本発明の第１の実施形態の変形における液晶表示装置の構成を示す断面図である。
【図４】本発明の表示状態を説明するための説明図である。
【図５】本発明の従来技術を説明するための説明図である。
【図６】本発明の表示原理を説明するための説明図である。
【図７】本発明の表示原理を説明するための説明図である。
【符号の説明】
１  第１の基板
２  第２の基板
３  第１の電極
４  第２の電極
５  シール材
６  ネマチック液晶
８  第１の反射型偏光板
８ａ  第１の反射型偏光板の透過容易軸
９  第２の反射型偏光板
９ａ  第２の反射型偏光板の透過容易軸
１０  第１の吸収型偏光板
１０ａ  第１の吸収型偏光板の透過容易軸
１１  第２の吸収型偏光板
１１ａ  第２の吸収型偏光板の透過容易軸
１２  光散乱部材
１３  位相差板
１３ａ  遅相軸
１４  光散乱部材
１６  ＳＴＮ液晶素子（２４０゜ツイスト）
１６ａ  下液晶分子配向方向
１６ｂ  上液晶分子配向方向
１００１  液晶パネル
１００２  反射板
【図１】
0003999867.tif 000002
【図２】
0003999867.tif 000003
【図３】
0003999867.tif 000004
【図４】
0003999867.tif 000005
【図５】
0003999867.tif 000006
【図６】
0003999867.tif 000007
【図７】
0003999867.tif 000008